(57)【特許請求の範囲】
【請求項１】
ハウジングと、該ハウジングに回転可能に支持されるシャフトと、該シャフトに間隔を開けて固定された２つのかさ歯車とを設け、該かさ歯車のいずれかと噛み合うかさ歯車を端部に有し、前記かさ歯車が備えられた端部と反対側の先端部が胴部より小径に形成され、該先端部の軸線が該胴部の軸線に対して偏心する２本の偏心ドライバーを、互いに平行に前記ハウジングに回転可能に支持し、前記シャフトを回転させることにより、前記２本の偏心ドライバーが同時に同一角度回転する位置決め用偏心ドライバーであって、
前記シャフトにねじ部を設け、該シャフトに固定された前記２つのかさ歯車の一方の内輪にねじ部を形成して該シャフトに対して移動可能とし、該かさ歯車及び該かさ歯車と噛み合うかさ歯車を端部に有する前記偏心ドライバーを支持する第２のハウジングを設け、前記シャフトを支持するハウジングに前記第２のハウジングを前記シャフトの軸方向に移動可能とするための長穴を形成したことを特徴とする位置決め用偏心ドライバー。
【請求項２】
前記２本の偏心ドライバーが互いに同一方向に回転することを特徴とする請求項１記載の位置決め用偏心ドライバー。
【請求項３】
前記２本の偏心ドライバーが互いに反対方向に回転することを特徴とする請求項１記載の位置決め用偏心ドライバー。
【請求項４】
前記偏心ドライバーの前記先端部及び該先端部近傍の前記胴部を着脱可能としたことを特徴とする請求項１乃至３のいずれかに記載の位置決め用偏心ドライバー。
【発明の詳細な説明】
【０００１】
【発明の属する技術分野】
本発明は、位置決め用偏心ドライバーに関し、特に、光学系の焦点板の位置決め等に使用される位置決め用偏心ドライバーに関する。
【０００２】
【従来の技術】
従来、図４に示すように、光学系２１に焦点板２２を位置決めする場合には、図３に示すように、先端部２３Ａａ（２３Ｂａ）の軸線が、断面が円形の胴部２３Ａｂ（２３Ｂｂ）の軸線に対して偏心した偏心ドライバー２３Ａ（２３Ｂ）を用意し、図４に示すように、光学系２１の焦点板２２に相対向する面２１ａに穿設された位置決め孔２１ｂと、焦点板２２を貫通する一対の調整用長穴２２ａ（Ｙ方向調整用長穴）、または２２ｂ（Ｘ方向調整用長穴）に、偏心ドライバー２３Ａ、２３Ｂを挿入し、各々の先端部２３Ａａ、２３Ｂａを光学系２１の位置決め孔２１ｂに挿入し、偏心ドライバー２３Ａ、２３Ｂを同一回転方向に、同一角度回転させることにより、焦点板２２を図５（ａ）のＥ方向へ移動させて、図５（ｂ）の状態にすることにより、焦点板２２のＸ方向またはＹ方向の位置決め調整を行っていた。尚、図５（ｂ）の点線は、移動前の焦点板２２の位置（図５（ａ）に示す位置）を示す。
【０００３】
また、図６に示すように、光学系２１に対する焦点板２２の回転方向を調整する場合には、長穴２２ｂを介して位置決め孔２１ｂ（図４）に、偏心ドライバー２３Ａ、２３Ｂの胴部２３Ａｂ、２３Ｂｂを挿入し、先端部２３Ａａ、２３Ｂａを中心にして、偏心ドライバー２３Ａ、２３Ｂを矢印で示すように互いに逆方向に回転させることにより、焦点板２２を図中の２点鎖線で示すようにに回転させて位置決め調整を行っていた。そして、この場合においても、焦点板２２を同一回転中心２５回りに回転させるためには、偏心ドライバー２３Ａ、２３Ｂを反対方向に、同一角度回転させることが必要であった。
【０００４】
【発明が解決しようとする課題】
上記偏心ドライバーを用いた従来の位置決め調整方法においては、偏心ドライバーを１人の作業者が両手で操作し、または２人の作業者で１本づつ持ち、同一方向または逆方向に同時に同一角度回転させて、Ｘ方向、Ｙ方向あるいは回転方向の位置調整を行っていた。
【０００５】
しかし、２本の偏心ドライバーを１人の作業者が両手で操作したり、２人の作業者で１本づつ持ち、同時に同一角度回転させることが非常に難しく、位置決め調整に長時間を要していた。
【０００６】
そこで、本発明は、２本の偏心ドライバーを同時に同一角度回転させることを容易に行うことができ、短時間で位置決め調整をすることができる位置決め用偏心ドライバーを提供することを目的とする。
【０００７】
【課題を解決するための手段】
請求項１記載の発明は、ハウジングと、該ハウジングに回転可能に支持されるシャフトと、該シャフトに間隔を開けて固定された２つのかさ歯車とを設け、該かさ歯車のいずれかと噛み合うかさ歯車を端部に有し、前記かさ歯車が備えられた端部と反対側の先端部が胴部より小径に形成され、該先端部の軸線が該胴部の軸線に対して偏心する２本の偏心ドライバーを、互いに平行に前記ハウジングに回転可能に支持し、前記シャフトを回転させることにより、前記２本の偏心ドライバーが同時に同一角度回転する位置決め用偏心ドライバーであって、前記シャフトにねじ部を設け、該シャフトに固定された前記２つのかさ歯車の一方の内輪にねじ部を形成して該シャフトに対して移動可能とし、該かさ歯車及び該かさ歯車と噛み合うかさ歯車を端部に有する前記偏心ドライバーを支持する第２のハウジングを設け、前記シャフトを支持するハウジングに前記第２のハウジングを前記シャフトの軸方向に移動可能とするための長穴を形成したことを特徴とする。
【０００８】
請求項２記載の発明は、前記２本の偏心ドライバーが互いに同一方向に回転することを特徴とする。
【０００９】
請求項３記載の発明は、前記２本の偏心ドライバーが互いに反対方向に回転することを特徴とする。
【００１０】
請求項４記載の発明は、前記偏心ドライバーの前記先端部及び該先端部近傍の前記胴部を着脱可能としたことを特徴とする。
【００１２】
そして、請求項１記載の発明によれば、シャフトを回転させることにより、前記２本の偏心ドライバーが同時に同一角度回転するため、位置決めの基準となる部材の位置決め孔に先端部を挿入し、位置決めされる部材に形成された長穴に胴部を挿入しシャフトを回転させることにより、一人で片手で容易に位置調整ができる。また、２本の偏心ドライバー間の距離を任意に変えることができるため、位置決めの基準となる部材の２つの位置決め孔間の距離及び位置決めされる部材に形成された２つの長穴間の距離の変化に対応することができる。
【００１３】
請求項２記載の発明によれば、シャフトを回転させることにより、前記２本の偏心ドライバーが同時に同一方向に同一角度回転するため、位置決めの基準となる部材の位置決め孔に先端部を挿入し、位置決めされる部材に形成された長穴に胴部を挿入しシャフトを回転させることにより、一人で片手で容易に位置決めされる部材をスライドさせて位置調整ができる。
【００１４】
請求項３記載の発明によれば、シャフトを回転させることにより、前記２本の偏心ドライバーが同時に反対方向に同一角度回転するため、位置決めの基準となる部材の位置決め孔に先端部を挿入し、位置決めされる部材に形成された長穴に胴部を挿入しシャフトを回転させることにより、一人で片手で容易に位置決めされる部材を回転させて位置調整ができる。
【００１５】
請求項４記載の発明によれば、前記偏心ドライバーの前記先端部及び該先端部近傍の前記胴部を着脱可能としたため、該先端部近傍の胴部を取り替えることにより、位置決めの基準となる部材の位置決め孔の径、または位置決めされる部材に形成された長穴の大きさの変化に対応することができる。
【００１７】
【発明の実施の形態】
次に、本発明の実施の形態について図面を参照して詳細に説明する。
図１及び図２は、本発明にかかる位置決め用偏心ドライバーの一実施例を示す図であって、この位置決め用偏心ドライバー１は、ねじ部２ａを有するシャフト２と、このシャフト２に固定されたかさ歯車３と、シャフト２及びハウジング４に支持され、かつその回転により左右に可動な内輪にねじ部を有するかさ歯車５と、かさ歯車３、５からの回転運動を伝達するためのかさ歯車６Ａ乃至６Ｄと、これらのかさ歯車６Ａ乃至６Ｄの回転運動を受けて、各々反対方向に回転する一対の偏心ドライバー８Ａ、８Ｃと、各々同一方向に回転する一対の偏心ドライバー８Ｂ、８Ｄと、上記構成要素を支持するとともに、ハウジング４を左右にスライドさせるための長穴９を有するハウジング１０とで構成される。
【００１８】
尚、偏心ドライバー８Ａ乃至８Ｄは、偏心ピン８Ａａ乃至８Ｄａを含む先端部８Ａｂ乃至８Ｄｂが着脱式となっており、この先端部８Ａｂ乃至８Ｄｂの径を変化させることにより、図示しない位置決め調整される部材に穿設された長穴の径に応じて選択使用が可能となっている。例えば、図１に示す本実施例においては、先端部８Ａｂ及び８Ｃｂの径は、先端部８Ｂｂ及び８Ｄｂの径より小さく形成され、位置決め調整される部材の長穴が小径の場合には、先端部８Ａｂ及び８Ｃｂを使用することができる。
【００１９】
次に、上記構成を有する位置決め用偏心ドライバー１の動作について図を参照して詳細に説明する。
【００２０】
図１に示すように、シャフト２をＡ方向に回転させると、シャフト２の回転運動は、シャフト２に固定されたかさ歯車３によってかさ歯車６Ａ、６Ｂに伝達され、それぞれに固定された偏心ドライバー８Ａ、８Ｂを同一方向（Ｂ方向）に同一角度だけ回転させることができる。
【００２１】
一方、内輪にネジ部を有するかさ歯車５は、シャフト２及びハウジング４に支持され、ハウジング４を動かないように固定することで、かさ歯車５は左右に移動できなくなり、シャフト２とともに回転する。これにより、前記かさ歯車５もかさ歯車３と同様に、かさ歯車６Ｃ、６Ｄに回転運動を伝達し、それぞれに固定された偏心ドライバー８Ｃ、８Ｄを逆方向（Ｃ方向及びＤ方向）に回転させる。
【００２２】
そして、位置決め用偏心ドライバー１を用いて、図４に示した光学系２１に対する焦点板２２の位置決め調整を行う場合を例に説明すると、各々の偏心ドライバー８Ｂ、８Ｄの偏心ピン８Ｂａ、８Ｄａを長穴２２ａを介して光学系２１の位置決め孔２１ｂに挿入し、偏心ドライバー８Ｂ、８Ｄを同一回転方向に、同一角度だけ回転させることにより、焦点板２２のＹ方向の位置決め調整を行うことができる。尚、偏心ピン８Ｂａ、８Ｄａを長穴２２ｂを介して光学系２１の位置決め孔２１ｂに挿入し、同様の操作を行うことにより焦点板２２のＹ方向の位置決め調整を行うことができる。
【００２３】
また、各々の偏心ドライバー８Ａ、８Ｃの偏心ピン８Ａａ、８Ｃａを長穴２２ｂを介して光学系２１の位置決め孔２１ｂに挿入し、偏心ドライバー８Ａ、８Ｃを反対方向に、同一角度だけ回転させることにより、焦点板２２の回転方向の位置決め調整を行うことができる。
【００２４】
さらに、かさ歯車５において、偏心ドライバー８Ｃまたは８Ｄを回転しないように固定することにより、かさ歯車５も回転不可となり、シャフト２を回転させると、ネジの作用により図２に示す長穴９の範囲で、ハウジング１０は左右にスライドが可能となる。これによって、偏心ドライバー８Ａ、８Ｃ間の距離及び偏心ドライバー８Ｂ、８Ｄ間の距離を調整することができ、位置決めの基準となる部材の２つの位置決め孔の間隔及び位置決め調整される部材の２つの長穴の間隔に合わせて偏心ドライバー８Ａと８Ｃとの間隔、または偏心ドライバー８Ｂと８Ｄとの間隔を調整することができる。
【００２５】
【発明の効果】
請求項１記載の発明によれば、シャフトを回転させることにより、前記２本の偏心ドライバーが同時に同一角度回転するため、両手あるいは２人でドライバーを慎重に回転させる必要がなく、一人で片手で容易に位置調整ができる位置決め用偏心ドライバーを提供することができる。また、位置決めの基準となる部材の２つの位置決め孔間の距離及び位置決めされる部材に形成された２つの長穴間の距離の変化に対応することができるため、より汎用性のある位置決め用偏心ドライバーを提供することができる。
【００２６】
請求項２記載の発明によれば、シャフトを回転させることにより、前記２本の偏心ドライバーが同時に同一角度同一方向に回転するため、両手あるいは２人でドライバーを慎重に回転させる必要がなく、一人で片手で容易に位置決めされる部材をスライドさせて位置調整ができる位置決め用偏心ドライバーを提供することができる。
【００２７】
請求項３記載の発明によれば、シャフトを回転させることにより、前記２本の偏心ドライバーが同時に同一角度反対方向に回転するため、両手あるいは２人でドライバーを慎重に回転させる必要がなく、一人で片手で容易に位置決めされる部材を回転させて位置調整ができる位置決め用偏心ドライバーを提供することができる。
【００２８】
請求項４記載の発明によれば、位置決めの基準となる部材の位置決め孔の径、または位置決めされる部材に形成された長穴の大きさの変化に対応することができるため、より汎用性のある位置決め用偏心ドライバーを提供することができる。
【図面の簡単な説明】
【図１】本発明にかかる位置決め用偏心ドライバーの一実施例を示す断面図である。
【図２】図１の位置決め用偏心ドライバーの側面図である。
【図３】従来の位置決め用偏心ドライバーを示す斜視図である。
【図４】従来の位置決め用偏心ドライバーを用いた位置決め方法を示す斜視図である。
【図５】従来の位置決め用偏心ドライバーを用いた位置決め方法の第１の例を示す断面図である。
【図６】従来の位置決め用偏心ドライバーを用いた位置決め方法の第２の例を示す断面図である。
【符号の説明】
１            位置決め用偏心ドライバー
２            シャフト
３      かさ歯車
４      ハウジング
５      かさ歯車
６Ａ乃至６Ｄ  かさ歯車
８Ａ乃至８Ｄ    偏心ドライバー
９      長穴
１０    ハウジング
【図１】
0004102469.tif 000002
【図２】
0004102469.tif 000003
【図３】
0004102469.tif 000004
【図４】
0004102469.tif 000005
【図５】
0004102469.tif 000006
【図６】
0004102469.tif 000007